(57)【要約】      （修正有）【課題】撮像装置による熱を放熱させる場合、外観を損ねることなく装置内部の放熱を行う撮像装置を提供する。【解決手段】装置本体と、駆動状態で発熱する発熱部３２と、前記装置本体に設けられ、外部装置を着脱可能な着脱部１０と、前記発熱部の熱を前記装置本体の外に排出する際に機能する第１開口部１４と、を有し、前記第１開口部が前記着脱部に形成されている。前記第１開口部には、照明装置が装着され、前記照明装置の空気吸入口を通して放熱を行う。【選択図】図５
2012169988.tif 000002
【特許請求の範囲】
【請求項１】
装置本体と、
駆動状態で発熱する発熱部と、
前記装置本体に設けられ、外部装置を着脱可能な着脱部と、
前記発熱部の熱を前記装置本体の外に排出する際に機能する第１開口部と、を有し、
前記第１開口部が前記着脱部に形成されていることを特徴とする撮像装置。
【請求項２】
請求項１に記載の撮像装置において、
前記装置本体上において、前記第１開口部とは異なる位置に設けられた第２開口部を備え、
前記発熱部は、前記第１、第２開口部のうちの一方の開口部から前記装置本体内部に吸入され、前記第１、第２開口部のうちの他方から排出される空気の流路内に配置されていることを特徴とする撮像装置。
【請求項３】
請求項２に記載の撮像装置において、
前記第１、第２開口部において、前記装置本体内部に空気を吸入するために機能する開口部は、前記装置本体内から外部に空気を排出するために機能する開口部よりも下方に設けられていることを特徴とする撮像装置。
【請求項４】
請求項１〜請求項３の何れか一項に記載の撮像装置において、
前記装置本体内部の所定部位の温度を測定する温度センサと、
前記温度センサによって測定した温度が所定温度以上のとき、放熱を促す警告を発する警告部と、
を備えることを特徴とする撮像装置。
【請求項５】
請求項１〜請求項４の何れか一項に記載の撮像装置において、
前記着脱部は、前記外部装置を装着した際に、前記外部装置と電気的に接続するコネクタ端子を備え、
前記着脱部において、前記第１開口部は、前記コネクタ端子とは異なる位置に設けられていることを特徴とする撮像装置。
【請求項６】
請求項１〜請求項５の何れか一項に記載の撮像装置において、
前記外部装置として放熱機構を備えた外部装置が、前記装着部に装着されたか否かを検出する検出部と、
前記検出部により、前記放熱機構を備えた外部装置の装着が検出された場合には、前記装置本体が所定の条件を満たすと、前記外部装置に対して前記放熱機構を動作せしめる制御信号を出力する制御信号出力部と、
を備えることを特徴とする撮像装置。
【請求項７】
請求項１〜請求項６の何れか一項に記載の撮像装置において、
前記所定の条件は、動画像の撮影中であること、または照明部を有する前記外部装置に対して当該照明部を点灯させる点灯指示の出力中であること、を含むことを特徴とする撮像装置。
【請求項８】
請求項７に記載の撮像装置において、
前記制御信号出力部は、前記動画像の撮影中は、前記放熱機構を略一定の動力で駆動させ続ける制御信号を出力することを特徴とする。
【請求項９】
請求項８に記載の撮像装置において、
前記制御信号出力部は前記放熱機構を、前記撮像装置が前記動画像の撮影中である場合には、前記撮像装置が静止画像またはスルー画像の撮影中である場合と比較して、相対的に低い動力で駆動させる制御信号を出力することを特徴とする。
【発明の詳細な説明】
【技術分野】
【０００１】
本発明は、放熱構造を有する撮像装置に関するものである。
【背景技術】
【０００２】
近年デジタルカメラ等の撮像装置においては、撮像素子の高画素化及び動画像データの高フレームレート化等によって撮像素子や画像処理回路での発熱が問題となっており、特に撮像素子が高温になると熱ノイズが発生して撮像した画像の画質が悪化する。そのため従来、装置自体の小型化を維持しつつ放熱処理を行うためにファンを備えたバッテリーパックを装置本体に取り付け、ファンを回転させることによって装置内部の放熱を行う撮像装置が存在する（例えば、特許文献１参照）。
【先行技術文献】
【特許文献】
【０００３】
【特許文献１】特開２００９−７１５１６号公報
【発明の概要】
【発明が解決しようとする課題】
【０００４】
しかしながら、上述の撮像装置においては、バッテリーパックのファンによって撮像装置内部の放熱を行うために、装置の上面に装置内部に外気を吸入するための吸入口を設け、装置の下面に装置内部の空気をバッテリーパック側に流入させるための排気口を設けており、外観を損ねてしまうという問題があった。
【０００５】
本発明の目的は、外観を損ねることが無く装置内部の放熱を行う撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮像装置は、装置本体と、駆動状態で発熱する発熱部（３２）と、前記装置本体に設けられ、外部装置を着脱可能な着脱部（１０）と、前記発熱部の熱を前記装置本体の外に排出する際に機能する第１開口部（１４）と、を有し、前記第１開口部が前記着脱部に形成されていることを特徴とする。
【発明の効果】
【０００８】
本発明の撮像装置によれば、外観を損ねることなく装置内部の放熱を行うことができる。
【図面の簡単な説明】
【０００９】
【図１】実施の形態に係る電子カメラ及び照明装置の外観を示す斜視図である。
【図２】実施の形態に係る電子カメラ及び照明装置のシステム構成を示すブロック図である。
【図３】実施の形態に係る電子カメラ及び照明装置の縦断面図である。
【図４】実施の形態に係る電子カメラ及び照明装置の横断面図である。
【図５】実施の形態に係る電子カメラ及び照明装置の正面側から見た内部構成を説明する図である。
【発明を実施するための形態】
【００１０】
以下、図面を参照して、本実施の形態に係る撮像装置としての電子カメラについて説明する。図１は実施の形態に係る電子カメラ及び照明装置の外観を示す斜視図である。図１に示すように、電子カメラ２の前面には被写体からの光を後述する撮像素子３２（図２参照）に導く交換式の撮影レンズ４が装着されている。電子カメラ２の上面には静止画像あるいは動画像の撮影時に合焦や撮影開始の指示操作を行うレリーズボタン８、外部装置としての照明装置２０を着脱可能に取り付ける着脱部１０、着脱部１０に装着された照明装置２０と電気的に接続するためのカメラコネクタ端子１２及び第１開口部１４が設けられている。
【００１１】
ここで着脱部１０は、一対の係止部１０ａを備える凹型嵌合部を有し、照明装置２０の装置着脱部２４に備えられた凸型嵌合部２４ａを摺動させて嵌合することで照明装置２０を電子カメラ２に安定して装着させる。また凹型嵌合部の係止部１０ａの間には第１開口部１４が設けられており、カメラコネクタ端子１２は第１開口部１４の電子カメラ２の前面側に設けられている。
【００１２】
電子カメラ２のレリーズボタン８が配置されている側は電子カメラ２のグリップとなっており、カメラ操作を行う使用者はグリップを保持しながら電子カメラ２の操作を行う。電子カメラ２のグリップの反対の側面の下部には第２開口部１６が形成されている。従って第２開口部１６が吸入口として機能する場合には第２開口部１６から電子カメラ２の内部に吸入された空気は電子カメラ２の内部を通過して排出口として機能する第１開口部１４から排出される。
【００１３】
一方、第１開口部１４が吸入口として機能する場合には、第１開口部１４から吸入された空気は電子カメラ２の内部を通過して排出口として機能する第２開口部１６から排出される。なお、着脱部１０に照明装置２０が装着されていない状態では着脱部１０を保護する専用カバーが着脱部１０に取り付けられるため、第１開口部１４は専用カバーによって覆われて隠れた状態となる。
【００１４】
照明装置２０は、前面に照明光を照射する発光窓２２を有し、下部に装置着脱部２４を有している。装置着脱部２４はその前端部に照明コネクタ端子２６を備えている。照明装置２０は、装置着脱部２４の凸型嵌合部２４ａが着脱部１０の凹型嵌合部に嵌合された際に照明コネクタ端子２６がカメラコネクタ端子１２に接続され、電子カメラ２との間で信号及び電源の授受が可能となる。また、装置着脱部２４には照明装置２０の内部に空気を吸入する後述の吸入口６４（図３参照）が設けられている。
【００１５】
図２は実施の形態に係る電子カメラ及び照明装置のシステム構成を示すブロック図である。ここでは電子カメラ２に照明装置２０が接続されているものとして説明する。図２に示すように電子カメラ２はカメラ制御部３０を有する。カメラ制御部３０には、レリーズボタン８、モード切替ＳＷ９、カメラコネクタ端子１２、撮像素子３２、画像処理部３４、画像表示部３６、温度センサ３８が接続され、更にメモリーカード４０が不図示のカードスロットを介して接続されている。カメラ制御部３０は、不図示の不揮発性メモリに格納された制御プログラムに従って各部を制御しカメラ機能による撮像処理等を実行する他、照明光を照射させる照明点灯指示の制御信号や後述の放熱機構であるファン４８を駆動させる制御信号等を照明装置駆動回路部４４に対して出力し、照明装置２０を制御する照明装置制御処理を実行する。
【００１６】
レリーズボタン８はレリーズＳＷ８ａ、８ｂを備え、レリーズボタン８が半押しされるとレリーズＳＷ８ａがオンとなり合焦動作が開始され、レリーズボタン８が全押しされるとレリーズＳＷ８ａに加えレリーズＳＷ８ｂもオンとなり撮影動作が開始される。モード切替ＳＷ９は、静止画撮影モード、動画撮影モードの切り替えを行う。撮像素子３０は、ＣＣＤまたはＣＭＯＳ等により構成され、撮影レンズ４を介した被写体光を撮像しカメラ制御部３０に対して撮像信号を出力する。画像処理部３４は、撮像素子３２から出力された撮像信号に対してホワイトバランス調整や解像度調整等の画像処理を施した静止画像、動画像及びスルー画像の画像データを生成する。
【００１７】
画像表示部３６は、電子カメラ２の筐体背面に設けられた背面液晶パネルにより構成され、スルー画像、静止画像及び動画像の表示を行う。温度センサ３８は撮像素子３２に近接して配置され、撮像素子３２の温度を測定してカメラ制御部３０に対して出力する。メモリーカード４０は画像処理部３４によって生成された静止画像及び動画像の画像データ等を記憶する。
【００１８】
照明装置２０は照明装置駆動回路部４４を備え、照明装置駆動回路部４４には照明コネクタ端子２６、ＬＥＤランプ４６、当該装置内の空気を排出するためのファン４８が接続されている。照明装置駆動回路部４４は、照明コネクタ端子２６を介して接続される電子カメラ２との間で信号及び電源の授受を行い、カメラ制御部３０からの制御信号に従ってＬＥＤランプ４６を発光させ発光窓２２から照明光を照射する他、ファン４８を駆動させる。
【００１９】
図３は実施の形態に係る電子カメラ及び照明装置の縦断面図である。図３に示すように撮像素子３２は、撮影レンズ４を構成するレンズ４ａの光軸上において固定基板５０に固定される。これによりレンズ４ａを介した被写体光は、撮像素子３２の受光面３２ａに結像する。固定基板５０は撮像素子３２の駆動時に撮像素子３２から生じる熱を効率的に放熱させるために金属材料によって構成される。また撮像素子３２と電子カメラ２の内部フレームとの間には防塵部材５２が設けられている。更に第１開口部１４には外部からのホコリやゴミ等の異物の侵入を防ぐフィルタ５４が取り付けられている。
【００２０】
照明装置２０は、図３に示すようにＬＥＤランプ４６を実装する実装基板６０を固定する固定板６２、空気を吸入する吸入口６４、吸入口６４から吸入された空気が通過する通気路６５、通気路６５内の空気を排出する排出口６６を備えている。固定板６２は、金属板によって形成され、実装基板６０が固定されている位置の下部が水平方向に折り曲げられ、通気路６５に面して放熱部６２ａを形成している。従って通気路６５を通過する空気の流路内に固定板６２の放熱部６２ａが位置することとなりＬＥＤランプ４６によって発生した熱は、実装基板６０を介して固定板６２に伝達され放熱される。
【００２１】
吸入口６４は、図１で示した照明装置２０の装置着脱部２４に設けられており、照明装置２０が電子カメラ２に装着されたときに電子カメラ２の第１開口部１４に連通する。そのため電子カメラ２の第２開口部１６を通って電子カメラ２の内部に吸入された空気は、第１開口部１４から排出され吸入口６４を通って照明装置２０内部の通気路６５に流入し、排出口６６から排出される。
【００２２】
図４は実施の形態に係る電子カメラ及び照明装置の横断面図、図５は実施の形態に係る電子カメラ及び照明装置の正面側から見た内部構造を説明する図である。図４に示すように電子カメラ２のグリップ側の内部には電池７０と、画像処理部３４等を含むカメラ制御部３０とが配置されている。図４及び図５に示すようにグリップの反対側に形成されている第２開口部１６には、外部からのホコリやゴミ等の異物の侵入を防止するフィルタ７２が取り付けられている。また図５に示すように第２開口部１６は撮像素子３２よりも低い位置に形成されている。
【００２３】
次にこの実施の形態に係る電子カメラの放熱について説明する。電子カメラ２のカメラ制御部３０は、撮像素子３２において撮像処理を行っている間、温度センサ３８によって測定された撮像素子３２の温度を逐次取得する。即ち撮像素子３２は駆動状態において発熱することから、カメラ制御部３０は撮像素子３２の温度の監視を継続的に行う。
【００２４】
そしてカメラ制御部３０は、温度センサ３８により測定された撮像素子３２の温度が所定温度（例えば、撮像された画像の画質が低下する温度）以上であるとき、装置内部の放熱を促すメッセージを含む警告画面を画像表示部３６に表示する。放熱を促すメッセージは、例えば“着脱部１０の専用カバーを外して第１開口部１４を開放して下さい。”や、“ファン４８を備える照明装置２０を着脱部１０に装着させて下さい。”等である。
【００２５】
使用者が着脱部１０の専用カバーを外して第１開口部１４を開放した場合、第１開口部１４が撮像素子３２の周辺で温められ上昇する空気を排出させる排出口として機能し、第２開口部１６が空気を吸入する吸入口として機能する。これによって第２開口部１６から電子カメラ２内に吸入され、撮像素子３２の近傍を通過して第１開口部１４から排出される空気の流路が形成される。これによって撮像素子３２を含む電子カメラ２内部の放熱を行うことができる。
【００２６】
使用者が着脱部１０に照明装置２０を装着した場合、カメラ制御部３０はカメラコネクタ端子１２の照明コネクタ端子２６への接続を認識することによって照明装置２０の装着を認識する。またカメラ制御部３０は、照明装置２０との通信により照明装置２０がファン４８を備えているか否かを認識する。カメラ制御部３０は照明装置２０がファン４８を備えている場合には、測定した撮像素子３２の温度が所定温度以上であれば、ファン４８を駆動させる制御信号を照明装置駆動回路部４４に出力する。
【００２７】
照明装置駆動回路部４４が制御信号に従ってファン４８を駆動させると、照明装置２０内の空気が排出口６６から排出されると共に、電子カメラ２内の空気が照明装置２０側へと流入する。そして電子カメラ２の第２開口部１６から空気が吸入され、その空気が撮像素子３２の周辺を通過して第１開口部１４を介して照明装置２０内部に流入する。照明装置２０内においては、吸入口６４から吸入された空気は通気路６５の放熱部６２ａが位置する箇所を通過して排出口６６を通って排出される。従ってＬＥＤランプ４６によって発生する熱は実装基板６０を介して固定板６２に伝達され放熱部６２ａから放熱される。
【００２８】
本実施の形態に係る電子カメラ２によれば、第１開口部１４と第２開口部１６とを設け、特に第１開口部１４を着脱部１０に設けているため、着脱部１０に専用カバーを装着したときに第１開口部１４を隠すことができ、また照明装置２０を着脱部１０に装着したときには照明装置２０により第１開口部１４が隠れるため、装置の外観を損ねることがない。
【００２９】
また、着脱部１０に、ファン４８を備えた照明装置２０を装着した場合には、ファン４８の駆動によって照明装置２０内の空気と電子カメラ２内の空気を強制的に排出し、電子カメラ２の第２開口部１６から吸入される外気の吸入量を増加させるため高い効率で電子カメラ２内を放熱することができ、更に照明装置２０内の放熱を行うことができる。
【００３０】
また、着脱部１０に照明装置２０を装着しない場合であっても、第１開口部１４を開放することで、撮像素子３２の周りで温められた電子カメラ２内の空気が上昇して第１開口部１４から排出され、外気が第２開口部１６から吸入され撮像素子３２の近傍を通過して上方の第１開口部１４から排出される空気の流れができるため、電子カメラ２内を放熱することができる。
【００３１】
さらに電子カメラ２の上面にカメラコネクタ端子１２を設けたことにより、係止部１０ａの間に照明装置２０と電気的に接続するコネクタ面を設ける必要がないことから、係止部１０ａの間のスペースを第１開口部１４を設けるスペースとして有効利用することができる。
【００３２】
また、第２開口部１６を電子カメラ２のグリップの反対側の側面に形成したことによって、電子カメラ２を保持する使用者の手により第２開口部１６が塞がれ電子カメラ２内の放熱が妨げられるのを防止できる。
【００３３】
なお、上述の実施の形態においては、撮像素子３２が所定温度以上となったとき、電子カメラ２に装着した照明装置２０のファン４８を駆動させたが、撮像素子３２の温度が所定温度未満のときにファン４８を駆動させてもよい。例えば使用者が不図示の操作部を操作することによって照明装置２０による照明光の照射開始の指示を行った場合に、カメラ制御部３０はＬＥＤランプを発光させる制御信号に加え、ファン４８を駆動させる制御信号を照明装置駆動回路部４４に出力する。これによって照明装置２０のＬＥＤランプ４６が発光したことによって発生する熱を即座に放熱することができる。
【００３４】
また、上述の実施の形態において、モード切替ＳＷ９の押下によって静止画撮影モードが設定された場合、カメラ制御部３０はスルー画像の撮影中、及び静止画像の撮影中はファン４８を最大の動力によって駆動させ続ける制御信号を照明装置駆動回路部４４に出力するようにしてもよい。これによって撮像素子３２の駆動によって発生する熱を放熱し、撮像素子３２の温度の上昇を防止することができる。
【００３５】
また、上述の実施の形態において、モード切替ＳＷ９の押下によって動画撮影モードが設定された場合、カメラ制御部３０は、スルー画像の撮影中は上記と同様にファン４８を最大の動力によって駆動させ続け、レリーズボタン８が全押しされ動画像の撮影を開始したときに、静止画像またはスルー画像の撮影中と比較して、相対的に低い略一定の動力でファン４８を駆動させ続ける制御信号を照明装置駆動回路部４４に出力する。このようにすることにより動画像の撮影中に不図示のマイクを介して取得した音声にファン４８の駆動音が含まれるのを防ぐと共に、撮像素子３２の駆動によって発生する熱を放熱し、動画撮影中における撮像素子３２の温度の上昇を防止することができる。
【００３６】
また、動画撮影モードにおいてスルー画像の撮影中にファン４８を最大の動力によって駆動させることにより、動画像の撮影前に撮像素子３２の温度が上昇してしまうのを防止することができる。
【００３７】
なお、上述した実施の形態においては、電子カメラ２に照明装置２０を装着させた場合を例に説明したが、これに限らず吸入口、通気路、排出口及びファンを備えた電子ビューファインダを装着しても、電子カメラ２内を放熱することができる。
【００３８】
なお、上述した実施の形態においては、着脱部１０を電子カメラ２の上部に設けているが、これに限らず電子カメラ２の側面や前面等に設けてもよく、着脱部１０を設けた箇所に合わせて第１開口部１４を設ければ、装置の外観を損ねることがなく、更に電子カメラ２内を放熱することができる。
【００３９】
また、上述した実施の形態においては、電子カメラ２のグリップ側と反対側の側面に第２開口部１６を設けているが、グリップ側の側面に新たに第３開口部を設けてもよい。これにより第３開口部からも外気を吸入するので、電子カメラ２内部への空気の流入量が増加して電子カメラ２内の放熱の効率が向上し、グリップ側の内部に配置されたカメラ制御部３０の発熱による温度の上昇を防止することができる。
【００４０】
さらに、上述した実施の形態において、カメラ制御部３０が、照明装置２０との通信により照明装置２０がファン４８を備えていないことを認識したとき、画像表示部３６に“電子カメラ２内の温度の上昇に注意して下さい”等のメッセージによって使用者に対して電子カメラ２内の温度の上昇に対する注意を促す警告を行うようにしてもよい。
【００４１】
また、上述した実施の形態において、動画像の撮影中に電子カメラ２に異常が発生した場合等、温度センサ３８により測定している撮像素子３２の温度が過度に上昇した場合には、カメラ制御部３０は、動画像の撮影を中止し、ファン４８を最大の動力によって駆動させ続ける制御信号を照明装置駆動回路部４４に出力して電子カメラ２内の放熱を行うようにしてもよい。
【００４２】
また、上述した実施の形態における温度センサ３８は、撮像素子３２の温度を直接測定するようにしてもよく、また撮像素子３２が固定されている固定基板５０の温度を測定するようにしてもよい。
【００４３】
また、温度センサ３８は、撮像素子３２の温度を測定するものとしたが、撮像素子３２の代わりにカメラ制御部３０の温度を測定するようにしてもよい。
【符号の説明】
【００４４】
２…電子カメラ、１０…着脱部、１４…第１開口部、１６…第２開口部、２０…照明装置、３２…撮像素子、４８…ファン、６４…吸入口、６５…通気路、６６…排出口。
【図１】
2012169988.tif 000003
【図２】
2012169988.tif 000004
【図３】
2012169988.tif 000005
【図４】
2012169988.tif 000006
【図５】
2012169988.tif 000007